(57)【要約】【課題】スイッチまたは電気を使用する設備の過熱破壊式電力切断方法の提供。【解決手段】本発明のスイッチまたは電気を使用する設備の過熱破壊式電力切断方法は、第１弾性力が操作部材を介して常態下で過熱破壊部材と可動導電部材に同時に付勢し、該第１弾性力の付勢方向が、該可動導電部材を第１導電部材と第２導電部材に同時に接触させる方向であり、電流通路を形成する工程と、第２弾性力が該操作部材を介して該可動導電部材に作用し、該第２弾性力の付勢方向が該可動導電部材を該第１導電部材または該第２導電部材から遠ざける方向である工程と、該過熱破壊部材の設置位置が、該電流通路の電流導通に利用されず、該電流通路の熱エネルギーを受け取るのみである工程と、該過熱破壊部材が破壊温度下で破壊または変形され、それにより該第１弾性力が小さくなるか失われ、このとき該第２弾性力により該可動導電部材の位置が変化し、該第１導電部材と該第２導電部材に同時に導通されなくなり、該電流通路が中断される工程を含む。【選択図】図１
2020009739.tif 000002
【特許請求の範囲】
【請求項１】
スイッチの過熱破壊式電力切断方法であって、第１弾性力が操作部材を介して常態下で過熱破壊部材と可動導電部材に同時に付勢し、該第１弾性力の付勢方向が、該可動導電部材を第１導電部材と第２導電部材に同時に接触させる方向であり、電流通路を形成する工程と、第２弾性力が該操作部材を介して該可動導電部材に作用し、該第２弾性力の付勢方向が該可動導電部材を該第１導電部材または該第２導電部材から遠ざける方向である工程と、該過熱破壊部材の設置位置が、該電流通路の電流導通に利用されず、該電流通路の熱エネルギーを受け取るのみである工程と、該過熱破壊部材が破壊温度下で破壊または変形され、それにより該可動導電部材に作用する該第１弾性力の付勢が小さくなるか失われ、このとき該第２弾性力により該可動導電部材の位置が変化し、該可動導電部材が該第１導電部材と該第２導電部材に同時に導通されなくなり、該電流通路が中断される工程を含む、ことを特徴とする、スイッチの過熱破壊式電力切断方法。
【請求項２】
前記過熱破壊部材の破壊温度が１００℃〜２５０℃の間であることを特徴とする、請求項１に記載のスイッチの過熱破壊式電力切断方法。
【請求項３】
前記過熱破壊部材がプラスチック材料で製造されることを特徴とする、請求項２に記載のスイッチの過熱破壊式電力切断方法。
【請求項４】
前記過熱破壊部材が金属または合金で製造されることを特徴とする、請求項２に記載のスイッチの過熱破壊式電力切断方法。
【請求項５】
前記合金が、錫ビスマス合金である、または錫とビスマス中にさらにカドミウム、インジウム、銀、錫、鉛、アンチモン、銅のいずれか、または組み合わせが添加されることを特徴とする、請求項４に記載のスイッチの過熱破壊式電力切断方法。
【請求項６】
電気を使用する設備の過熱破壊式電力切断方法であって、請求項１乃至５のいずれかに記載のスイッチの過熱破壊式電力切断方法を使用して、該電気を使用する設備の電源オンとオフを制御し、該第１導電部材と該第２導電部材が該電気を使用する設備の活線電源経路上または中性線電源経路上にブリッジ接続されることを特徴とする、電気を使用する設備の過熱破壊式電力切断方法。
【発明の詳細な説明】
【技術分野】
【０００１】
本発明はスイッチまたは電気を使用する設備の過熱破壊式電力切断方法に関し、特に、ヒューズ及びバイメタルの切断方法とは異なり、電流の通過に依存することなく破壊を実行できる過熱破壊部材であって、熱エネルギーの伝達を通じて破壊を実行し、スイッチに導通を切断させる、スイッチまたは電気を使用する設備の過熱破壊式電力切断方法に関する。
【背景技術】
【０００２】
従来のロッカースイッチは、制御スイッチを一定の角度範囲内で往復枢動させることで、スイッチの接続または切断を制御しており、例えば、中華民国特許第５６０６９０号「切替スイッチの火花遮蔽構造」は、スイッチの枢動時に位置決め部材を利用して第１位置または第２位置にスイッチを位置決めすることで、接続または切断を形成している。
【０００３】
従来の押しボタンスイッチは、毎回の押圧操作でスイッチの接続と切断を反復制御することができ、ボタンには従来の自動ボールペンの往復ボタンに似た構造を利用し、該スイッチのボタンを押すたびに下方位置または上方位置に位置決めしており、一例として中国特許第ＣＮ１０３４４１０１９号の「ボタンスイッチ」がある。
【０００４】
中華民国特許第３２１３５２号の「ワイヤ上スイッチ構造の改良」はヒューズを備えたスイッチ構造を開示しているが、該ヒューズが電源活線の経路中に配置されているため、保護作用が電流の通過に依存しており、特に過負荷の電流でやっと該ヒューズを切断させることができるもので、ヒューズの動作時に電流を通過させる必要があり、一方で電流が過大のときのみヒューズの切断が可能であるため、往々にして低融点の鉛錫合金、亜鉛を使用してヒューズとするが、その導電性は銅にはるかに及ばない。延長コンセントを例とすると、延長コンセントは主に銅を導電体として使用するが、延長コンセントに中華民国特許第３２１３５２号のスイッチを組み合わせて電源を制御する場合、ヒューズの導電率が優れず、エネルギー消費の問題が生じやすい。
【０００５】
中華民国特許第Ｍ３８２５６８号の「双極自動切断式安全スイッチ」は、バイメタル型の過負荷保護スイッチを開示しているが、バイメタルは同様に電流が通過する経路中に配置する必要があり、電流の通過によって変形を生じ、特に過負荷の電流でやっと該バイメタルを変形させて電気回路を中断させることができる。
【０００６】
中華民国特許第Ｍ２５０４０３号の「グループ式コンセントに用いる過負荷保護スイッチの構造」は、延長コンセントに応用した過負荷保護スイッチを開示しており、該特許の過負荷保護スイッチにはバイメタルが設置され、延長コンセント全体の総仕事率が超過したとき、該バイメタルが熱で変形して自動的にトリップし、電気を遮断して保護の作用を達成する。しかしながら、該バイメタルの過負荷保護作用は電流の通過に依存する必要があり、バイメタルの導電率は銅にはるかに及ばないため、エネルギー消費の問題が生じやすい。
【０００７】
また、電流の過負荷で過熱が引き起こされるほか、延長コンセントを例とすると、次の状況でいずれも任意のコンセントの過熱が発生する可能性がある。
【０００８】
１．プラグの金属刃が重度に酸化し、金属刃が酸化物に覆われると、プラグをコンセントに差し込んだとき、導電性が悪い酸化物によって抵抗が大きくなり、コンセントが過熱する。
【０００９】
２．プラグの金属刃をコンセントに差し込んだとき、差込みが不十分で、局部のみの接触となり、過小な接触面積がコンセントの過熱につながる。
【００１０】
３．プラグの金属刃が変形または摩損し、コンセントに差し込んだときの接触が不完全となり、過小な接触面積によってコンセントの過熱が引き起こされる。
【００１１】
４．プラグの金属刃またはコンセントの金属片に異物（埃や汚れなど）が付着し、導電性が悪くなり、抵抗が大きくなって過熱する。
【００１２】
上述の状況下では、コンセントの動作温度と過負荷保護スイッチの動作温度に大きな落差が生じる。
【００１３】
発明者は、米国特許出願第ＵＳ９６９８５４２号の「Ａｓｓｅｍｂｌｙ  ａｎｄ  ｍｅｔｈｏｄ  ｏｆ  ｐｌｕｒａｌ  ｃｏｎｄｕｃｔｉｖｅ  ｓｌｏｔｓ  ｓｈａｒｉｎｇ  ａｎ  ｏｖｅｒｈｅａｔｉｎｇ  ｄｅｓｔｒｕｃｔｉｖｅ  ｆｉｘｉｎｇ  ｅｌｅｍｅｎｔ」において、銅片の距離と温度の差異の実験を開示しており、ＵＳ９６９８５４２号特許出願のＴＡＢＬＥ ２の試験では、上述の過熱したコンセントがＴＡＢＬＥ ２の実験の位置１０に位置し、上述の過負荷保護スイッチがＴＡＢＬＥ ２の実験の位置１に位置する場合、両者間の距離は９センチであり、コンセントの動作温度が２０２．９℃に達し、２５分経過後、過負荷保護スイッチの動作温度はわずか１１０．７℃であったことが分かった。つまり、コンセントと過負荷保護スイッチ間の距離が９センチのとき、コンセントの動作温度がすでに過熱して２０２．９℃に達し、燃焼事故が起こる可能性があるとき、過負荷保護スイッチのバイメタルはまだ１１０．７℃で、変形の温度に達しておらず、過負荷保護スイッチは自動的にトリップして電気を遮断しない。
【００１４】
コンセントに過熱を生じる状況はさまざまであり、かつコンセントと過負荷保護スイッチのバイメタルの距離によって極めて大きな温度差が生じるため、効果的に過熱保護を達成するには、延長コンセントの各コンセント上に過負荷保護スイッチのバイメタルを設置すべきであるが、バイメタル型の過負荷保護スイッチは価格が比較的高く、延長コンセントの各コンセントすべてに設置する場合、価格の大幅な上昇を免れず、逆に普及使用に不利となる。
【先行技術文献】
【特許文献】
【００１５】
【特許文献１】中華民国特許第５６０６９０号明細書
【特許文献２】中国特許第ＣＮ１０３４４１０１９号明細書
【特許文献３】中華民国特許第３２１３５２号明細書
【特許文献４】中華民国特許第Ｍ３８２５６８号明細書
【特許文献５】中華民国特許第Ｍ２５０４０３号明細書
【特許文献６】米国特許出願第ＵＳ９６９８５４２号明細書
【発明の概要】
【発明が解決しようとする課題】
【００１６】
上述の原因に基づき、本発明の目的は、それらの欠点を克服することができる、スイッチまたは電気を使用する設備の過熱破壊式電力切断方法を提供することにある。
【課題を解決するための手段】
【００１７】
本発明のスイッチの過熱破壊式電力切断方法は、第１弾性力が操作部材を介して常態下で過熱破壊部材と可動導電部材に同時に付勢し、該第１弾性力の付勢方向が、該可動導電部材を第１導電部材と第２導電部材に同時に接触させる方向であり、電流通路を形成する工程と、第２弾性力が該操作部材を介して該可動導電部材に作用し、該第２弾性力の付勢方向が該可動導電部材を該第１導電部材または該第２導電部材から遠ざける方向である工程と、該過熱破壊部材の設置位置が、該電流通路の電流導通に利用されず、該電流通路の熱エネルギーを受け取るのみである工程と、該過熱破壊部材が破壊温度下で破壊または変形され、それにより該可動導電部材に作用する該第１弾性力の付勢が小さくなるか失われ、このとき該第２弾性力により該可動導電部材の位置が変化し、該可動導電部材が該第１導電部材と該第２導電部材に同時に導通されなくなり、該電流通路が中断される工程を含む。
【００１８】
さらに、該熱破壊部材の破壊温度が１００℃〜２５０℃の間である。さらに、該熱破壊部材がプラスチック材料、または金属、或いは合金で製造され、そのうち、該合金が錫ビスマス合金である、または錫とビスマス中にさらにカドミウム、インジウム、銀、錫、鉛、アンチモン、銅のいずれか、または組み合わせが添加される。
【００１９】
本発明の電気を使用する設備の過熱破壊式電力切断方法は、前述のスイッチの過熱破壊式電力切断方法を使用して、電気を使用する設備の電源オンとオフを制御する。該第１導電部材と該第２導電部材が該電気を使用する設備の活線電源経路上または中性線電源経路上にブリッジ接続される。
【発明の効果】
【００２０】
上述の技術的特徴に基づき、次の効果を達成することができる。
【００２１】
１．過熱破壊部材が電流伝達経路上になく、電流の伝達を担わないため、本発明を電器製品や延長コンセントに使用したとき、過熱破壊部材の導電性が銅に及ばなくても、電器や延長コンセントの電力性能に直接影響しない。
【００２２】
２．全体構造が簡単で製造しやすく、スイッチの体積が明らかに増加することもなく、かつ製造コストが比較的低く、既知のロッカースイッチ、押しボタンスイッチ、その他スイッチに実施しやすい。
【００２３】
３．体積が小さくコストが低いため、延長コードのスイッチでの応用に適しており、延長コードの各コンセントにそれぞれ１つ熱破壊式電力切断スイッチを配置すれば、各スイッチに対応する各コンセント差込口の使用時における安全性が確約される。これにより従来のバイメタルの価格が高く、複数のコンセント差込口で１つの過負荷保護スイッチを共用しなければならない欠点を改善することができる。かつ、過負荷保護スイッチから距離が比較的遠いコンセント差込口がすでに過熱していて温度上昇が起こっていても、過負荷保護スイッチがトリップ温度に達していないためトリップしない現象が発生しない。
【図面の簡単な説明】
【００２４】
【図１】本発明の実施例１を示す断面図であり、ロッカースイッチの構造及び該ロッカースイッチがオフの位置にあることを示す。
【図２】本発明の実施例１を示す断面図であり、該ロッカースイッチがオンの位置にあることを示す。
【図３】本発明の実施例１を示す断面図であり、該過熱破壊部材が過熱により破壊されると、該可動導電部材が該第２導電部材を離脱し、該ロッカースイッチがオンの位置からオフの位置に戻り、電力切断を形成することを示す。
【図４】本発明の実施例２を示す断面図であり、押しボタンスイッチの構造及び該押しボタンスイッチがオフの位置にあることを示す。
【図５】本発明の実施例２を示す断面図であり、該押しボタンスイッチがオンの位置にあることを示す。
【図６】本発明の実施例２を示す断面図であり、該過熱破壊部材が過熱により破壊されると、該可動導電部材が該第２導電部材を離脱して電力切断を形成することを示す。
【図７】本発明の実施例３を示す断面図であり、ロッカースイッチの構造及び該ロッカースイッチがオフの位置にあることを示す。
【図８】本発明の実施例３を示す断面図であり、該ロッカースイッチがオンの位置にあることを示す。
【図９】本発明の実施例３を示す断面図であり、該過熱破壊部材が過熱により破壊されると、該可動導電部材が該第２導電部材を離脱し、該ロッカースイッチがオンの位置からオフの位置に戻り、電力切断を形成することを示す。
【図１０】本発明の実施例４を示す断面図であり、押しボタンスイッチの構造及び該押しボタンスイッチがオフの位置にあることを示す。
【図１１】本発明の実施例４を示す断面図であり、該押しボタンスイッチがオンの位置にあることを示す。
【図１２】本発明の実施例４を示す断面図であり、該過熱破壊部材が過熱により破壊されると、該可動導電部材が該第２導電部材を離脱して電力切断を形成することを示す。
【図１３】本発明の実施例５を示す断面図であり、ロッカースイッチの構造及び該ロッカースイッチがオフの位置にあることを示す。
【図１４】本発明の実施例５を示す断面図であり、該ロッカースイッチがオンの位置にあることを示す。
【図１５】本発明の実施例５を示す断面図であり、該過熱破壊部材が過熱により破壊されると、該可動導電部材が該第２導電部材を離脱し、該ロッカースイッチがオンの位置からオフの位置に戻ることを示す。
【図１６】本発明の実施例６を示す断面図であり、別のロッカースイッチの構造及び該別のロッカースイッチがオフの位置にあることを示す。
【図１７】本発明の実施例６を示す断面図であり、該別のロッカースイッチがオンの位置にあることを示す。
【図１８】本発明の実施例６を示す断面図であり、該過熱破壊部材が過熱により破壊されると、該可動導電部材が該第２導電部材を離脱し、該別のロッカースイッチがオンの位置からオフの位置に戻ることを示す。
【図１９】本発明の実施例７を示す断面図であり、押しボタンスイッチの構造及び該押しボタンスイッチがオフの位置にあることを示す。
【図２０】本発明の実施例７を示す断面図であり、該押しボタンスイッチがオンの位置にあることを示す。
【図２１】本発明の実施例７を示す断面図であり、該過熱破壊部材が過熱により破壊されると、該可動導電部材が該第２導電部材を離脱して電力切断を形成することを示す。
【図２２】本発明の実施例８を示す断面図であり、別の押しボタンスイッチの構造及び該別の押しボタンスイッチがオフの位置にあることを示す。
【図２３】本発明の実施例８を示す断面図であり、該別の押しボタンスイッチがオンの位置にあることを示す。
【図２４】本発明の実施例８を示す断面図であり、該過熱破壊部材が過熱により破壊されると、該可動導電部材が該第２導電部材を離脱して電力切断を形成することを示す。
【図２５】本発明の実施例９を示す断面図であり、ロッカースイッチの構造及び該ロッカースイッチがオフの位置にあることを示す。
【図２６】本発明の実施例９を示す断面図であり、該ロッカースイッチがオンの位置にあることを示す。
【図２７】本発明の実施例９を示す断面図であり、該過熱破壊部材が過熱により破壊されると、該可動導電部材が該第２導電部材を離脱し、該ロッカースイッチがオンの位置からオフの位置に戻ることを示す。
【図２８】本発明の実施例１０を示す断面図であり、別のロッカースイッチの構造及び該別のロッカースイッチがオフの位置にあることを示す。
【図２９】本発明の実施例１０を示す断面図であり、該別のロッカースイッチがオンの位置にあることを示す。
【図３０】本発明の実施例１０を示す断面図であり、該過熱破壊部材が過熱により破壊されると、該可動導電部材が該第２導電部材を離脱し、該別のロッカースイッチがオンの位置からオフの位置に戻ることを示す。
【図３１】本発明の実施例１１を示す断面図であり、押しボタンスイッチの構造及び該押しボタンスイッチがオフの位置にあることを示す。
【図３２】本発明の実施例１１を示す断面図であり、該押しボタンスイッチがオンの位置にあることを示す。
【図３３】本発明の実施例１１を示す断面図であり、該過熱破壊部材が過熱により破壊されると、該可動導電部材が該第２導電部材を離脱して電力切断を形成することを示す。
【図３４】本発明の熱破壊式電力切断スイッチを延長コンセントに用いた立体分解図である。
【図３５】本発明の熱破壊式電力切断スイッチを延長コンセントに用いた構造透視図である。
【発明を実施するための形態】
【００２５】
上述の技術的特徴を総合し、本発明のスイッチまたは電気を使用する設備の過熱破壊式電力切断方法の主な効果について、以下で実施例を挙げて詳しく説明する。
【実施例１】
【００２６】
本発明の実施例１を図１に示す。本実施例は熱破壊式電力切断スイッチであり、かつ本実施例においてはロッカースイッチであり、図１に該ロッカースイッチがオフの状態を示す。該ロッカースイッチは、座体１Ａと、第１導電部材２Ａ及び第２導電部材３Ａと、可動導電部材と、過熱破壊部材５Ａを含む。
【００２７】
該座体１Ａは収納空間１１Ａを備えている。該第１導電部材２Ａ及び第２導電部材３Ａはいずれも該座体１Ａに穿置される。該可動導電部材は該収納空間１１Ａ内に設置され、該可動導電部材がロッキング導電部材４Ａであり、該ロッキング導電部材４Ａが該第１導電部材２Ａに跨設され、該第１導電部材２Ａに電気的に接続される。該過熱破壊部材５Ａは、破壊温度下で破壊され、該破壊温度が１００℃〜２５０℃であり、該過熱破壊部材５Ａは電流の持続的供給を維持するために用いるものではないため、例えばプラスチックなどの絶縁材料を選択して用いることができ、または非絶縁材料の低融点の合金を選択して用いることもできる。該低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよい。本実施例において、該過熱破壊部材５Ａは円形片体として設けられるが、その他例えば柱体、帽子状体、ブロック体、球体、不規則体または放射状片体等も実施可能な実施例である。
【００２８】
動作温度が異常に上昇した場合、活線回路を切断することが最善であるため、該第１導電部材Ａ２が使用上活線第１端、該第２導電部材３Ａが使用上活線第２端となっており、該ロッキング導電部材４Ａにより該第１導電部材２Ａと第２導電部材３Ａを導通させて、活線回路を形成する。
【００２９】
本実施例の該ロッカースイッチはさらに、操作ユニット６Ａを備え、該ロッキング導電部材４Ａを操作して該第１導電部材２Ａと該第２導電部材３Ａを連通させ、活線回路を形成するか、或いは該第１導電部材２Ａと該第２導電部材３Ａの導通を切断し、活線に切断を形成する。該操作ユニット６Ａは該座体１Ａ上に組み込まれ、操作部材６１Ａと第１弾性部材６２Ａを含み、該操作部材６１Ａに枢着点６１１Ａが設けられ、該枢着点６１１Ａが該座体１Ａに枢着され、該枢着点６１１Ａを軸心として該操作部材６１Ａに一定限度内で往復枢動させることができる。該操作部材６１Ａはさらに、接触部材と、中心筒６１０Ａと、内筒６１４Ａと、規制部材６１２Ａを含み、該接触部材が空心状を呈する熱伝導ハウジング６１３Ａであり、該熱伝導ハウジング６１３Ａが開口端６１３１Ａと弧形の接触端６１３２Ａを含み、該熱伝導ハウジング６１３Ａの該接触端６１３２Ａが該ロッキング導電部材４Ａに接触し、該中心筒６１０Ａの該ロッキング導電部材４Ａから遠い一端に貫通孔６１５Ａが設けられ、該規制部材６１２Ａが該貫通孔６１５Ａの周縁に設置される。該中心筒６１０Ａが該内筒６１４Ａに緊密に被着され、該内筒６１４Ａが貫通状の収容空間６１４１Ａを備え、該第１弾性部材６２Ａが該収容空間６１４１Ａ内に設置され、該収容空間６１４１Ａの二端にそれぞれ第１開口６１４２Ａと第２開口６１４３Ａが設けられ、該熱伝導ハウジング６１３Ａの一部が該収容空間６１４１Ａに挿入され、また該熱伝導ハウジング６１３Ａの一部が該第１開口６１４２Ａから突出される。 該貫通孔６１５Ａの径幅は該第１弾性部材６２Ａの径幅より大きい。該第１弾性部材６２Ａの一端が該熱伝導ハウジング６１３Ａの該開口端６１３１Ａ内に挿入され、該過熱破壊部材５Ａが該規制部材６１２Ａに当接され、該第１弾性部材６２Ａが該熱伝導ハウジング６１３Ａと該過熱破壊部材５Ａの間で圧縮されて規制され、第１弾性力を具備する。
【００３０】
本実施例のロッカースイッチはさらに第２弾性部材７Ａを備え、該第２弾性部材７Ａは本実施例においてばねであり、該第２弾性部材７Ａは第２弾性力を備え、該第２弾性力が該操作部材６１Ａに作用する。
【００３１】
図２に示すように、使用者が該操作部材６１Ａを操作して該枢着点６１１Ａの周りを枢動させ、該熱伝導ハウジング６１３Ａを該ロッキング導電部材４Ａ上で摺動させると、該ロッキング導電部材４Ａにシーソーのような運動形態で該第２導電部材３Ａと選択的に接触または分離させることができる。該熱伝導ハウジング６１３Ａが該ロッキング導電部材４Ａ上で該ロッキング導電部材４Ａ上の銀接点４１Ａの方向に摺動すると、該第１弾性力が該銀接点４１Ａを該第２導電部材３Ａに接触させて、通電状態を形成する。
【００３２】
図３に示すように、第１導電部材２Ａまたは第２導電部材３Ａに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等の現象があると、コンセントの導電部位に比較的大きな熱エネルギーが発生し、該熱エネルギーが第１導電部材２Ａまたは第２導電部材３Ａを介してロッキング導電部材４Ａに伝達され、さらに該熱伝導ハウジング６１３Ａ、該第１弾性部材６２Ａを介して該過熱破壊部材５Ａに伝達され、該過熱破壊部材５Ａが該熱エネルギーを吸収して徐々にその材料の融点に達し、このとき該過熱破壊部材５Ａが徐々に剛性を失い始める。例えば該過熱破壊部材５Ａの材質が錫ビスマス合金である場合、その融点は１３８℃であるが、融点に近づくときに剛性が失われ始め、同時に該第１弾性力の作用下で、該過熱破壊部材５Ａが該第１弾性部材６２Ａの圧迫を受けて変形し、さらには破壊される。本実施例において、図１に示した元々の過熱破壊部材５Ａが破壊されると、過熱破壊部材５Ａが２つの部分に分かれ、図３に示す状態となり、該第１弾性部材６２Ａが伸長され、該第１弾性部材６２Ａが該過熱破壊部材５Ａを貫通して該貫通孔６１５Ａから突出され、それにより該第１弾性力が小さくなるか失われて、このとき該第２弾性力が該第１弾性力より大きくなる。本実施例において、前記第１導電部材２Ａと該第２導電部材３Ａの排列方向を縦方向と定義し、該操作部材６１Ａが該縦方向上に一定長さを備え、該第１弾性部材６２Ａが該長さの中央位置に設置され、該第２弾性部材７Ａの該長さにおける設置位置と、該中央位置の間には一定の距離がある。このため、該第２弾性力が該第１弾性力より大きくなると、該操作部材６１Ａがトルクの作用で、該枢着点６１１Ａを軸心として枢動され、該熱伝導ハウジング６１３Ａを動かして該ロッキング導電部材４Ａ上で摺動させ、該操作部材６１Ａがオフの位置に移動されるため、該ロッキング導電部材４Ａの銀接点４１Ａが該第２導電部材３Ａを離脱し、電力の切断状態が形成され、これにより過熱保護作用が達成される。
【実施例２】
【００３３】
本発明の実施例２を図４に示す。本実施例は熱破壊式電力切断スイッチであり、かつ本実施例においては押しボタンスイッチであり、図４に該押しボタンスイッチがオフの状態を示す。該押しボタンスイッチは、座体１Ｂと、第１導電部材２Ｂ及び第２導電部材３Ｂと、可動導電部材と、過熱破壊部材５Ｂを含む。
【００３４】
該座体１Ｂは収納空間１１Ｂと、突出部１２Ｂを備えている。該第１導電部材２Ｂ及び第２導電部材３Ｂはいずれも該座体１Ｂに穿置される。該可動導電部材は該収納空間１１Ｂ内に設置され、該可動導電部材はカンチレバー導電部材４Ｂである。該過熱破壊部材５Ｂは、破壊温度下で破壊され、該破壊温度が１００℃〜２５０℃であり、該過熱破壊部材５Ｂは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよい。本実施例において、該過熱破壊部材５Ｂは円形片体として設けられるが、その他例えば棒体、帽子状体、放射状片体、ブロック体、球体または不規則体等も実施可能な実施例である。
【００３５】
動作温度が異常に上昇した場合、活線回路を切断することが最善であるため、該第１導電部材２Ｂが使用上活線第１端、該第２導電部材３Ｂが使用上活線第２端となっており、該カンチレバー導電部材４Ｂにより該第１導電部材２Ｂと第２導電部材３Ｂを導通させて、活線回路を形成する。
【００３６】
本実施例の該押しボタンスイッチはさらに操作ユニット６Ｂを備え、該カンチレバー導電部材４Ｂを操作して、該第１導電部材２Ｂと該第２導電部材３Ｂを連通させ、活線回路を形成するか、或いは該第１導電部材２Ｂと該第２導電部材３Ｂの導通を切断し、活線に切断を形成する。該操作ユニット６Ｂは該座体１Ｂに組み込まれ、操作部材６１Ｂと、第１弾性部材６２Ｂを含み、該操作部材６１Ｂが該突出部１２Ｂに被せて設置され、該操作部材６１Ｂは該突出部１２Ｂ上で一定限度内の往復移動をすることができる。操作ユニット６Ｂ全体の往復移動と位置決め構造は従来の自動ボールペンの押しボタン構造または先行技術で述べた中国特許第CN１０３４４１０１９号の「ボタンスイッチ」の構造と同じであるため、本実施例の図面では従来の位置決め構造を一部省略し、表示していない。該操作部材６１Ｂはさらに接触部材と、中心筒６１０Ｂと、内筒６１４Ｂと、規制部材６１２Ｂを含む。該中心筒６１０Ｂの該カンチレバー導電部材４Ｂから遠い一端に貫通孔６１５Ｂが設けられ、該規制部材６１２Ｂが該貫通孔６１５Ｂの周縁に設置され、該中心筒６１０Ｂが該内筒６１４Ｂに緊密に被着され、該内筒６１４Ｂが貫通状の収容空間６１４１Ｂを備え、該第１弾性部材６２Ｂが該収容空間内６１４１Ｂに設置され、該収容空間６１４１Ｂの二端にそれぞれ第１開口６１４２Ｂと第２開口６１４３Ｂが設けられる。該接触部材は支持熱伝導部材６１３Ｂであり、該支持熱伝導部材６１３Ｂは該第１開口６１４２Ｂに接近している。該貫通孔６１５Ｂの径幅は該第１弾性部材６２Ｂの径幅より大きい。該支持熱伝導部材６１３Ｂは位置規制柱６１３１Ｂと、支持座部６１３２Ｂを備え、該位置規制柱６１３１Ｂが該第１弾性部材６２Ｂの一端に挿入され、該第１弾性部材６２Ｂを該支持座部６１３２Ｂ上に当接させ、該支持座部６１３２Ｂが該カンチレバー導電部材４Ｂに接触する。該過熱破壊部材５Ｂが該規制部材６１２Ｂに当接され、該第１弾性部材６２Ｂが該支持熱伝導部材６１３Ｂと該過熱破壊部材５Ｂの間で圧縮されて規制され、第１弾性力を具備する。
【００３７】
本実施例の該押しボタンスイッチはさらに第２弾性部材を備え、該第２弾性部材はばね片７Ｂであり、かつ該第１導電部材２Ｂ、該ばね片７Ｂ、該カンチレバー導電部材４Ｂの三者が一体成形されており、該ばね片７Ｂが第２弾性力を有し、該第２弾性力は該操作部材６１Ｂに作用する。
【００３８】
図５に示すように、使用者は自動ボールペンのボタンのように、該操作部材６１Ｂを操作して該突出部１２Ｂに相対して移動させることで、該カンチレバー導電部材４Ｂと該第２導電部材３Ｂを選択的に接触または分離させる。該操作部材６１Ｂがカンチレバー導電部材４Ｂに向かって移動され、位置決めされると、該支持熱伝導部材６１３Ｂの支持座部６１３１Ｂによって該カンチレバー導電部材４Ｂが押圧されて銀接点４１Ｂの位置が近づき、該カンチレバー導電部材４Ｂが該第２導電部材３Ｂに接触して通電状態が形成される。同時に、該第１弾性部材６２Ｂがさらに圧縮され、該第１弾性力が大きくなり、このとき該第１弾性力が該第２弾性力より大きくなる。
【００３９】
図６に示すように、第１導電部材２Ｂまたは第２導電部材３Ｂに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等があると、コンセントの導電部位に比較的大きな熱エネルギーが発生し、該熱エネルギーが第１導電部材２Ｂまたは第２導電部材３Ｂを介してカンチレバー導電部材４Ｂに伝達され、さらに該支持熱伝導部材６１３Ｂの支持座部６１３２Ｂ、位置規制柱６１３１Ｂと該第１弾性部材６２Ｂを介して該過熱破壊部材５Ｂに伝達され、該過熱破壊部材５Ｂが該熱エネルギーを吸収して徐々にその材料の融点に達し、このとき該過熱破壊部材５Ｂが徐々に剛性を失い始める。例えば該過熱破壊部材５Ｂの材質が錫ビスマス合金である場合、その融点は１３８℃であるが、融点に近づくときに剛性が失われ始め、同時に該第１弾性力の作用下で、該過熱破壊部材５Ｂが該第１弾性部材６２Ｂの圧迫を受けて変形し、さらには破壊されて、該第１弾性部材６２Ｂを規制できなくなる。本実施例において、図４に示した元々の過熱破壊部材５Ｂが破壊・変形されると、過熱破壊部材５Ｂが２つの部分に分断され、図６に示す状態となり、該第１弾性部材６２Ｂが伸長され、該第１弾性部材６２Ｂが該過熱破壊部材５Ｂを貫通して該貫通孔６１５Ｂから突出され、それにより該第１弾性力が小さくなるか失われて、このとき該第２弾性力が該第１弾性力より大きくなるため、該カンチレバー導電部材４Ｂが元の位置を回復し、該カンチレバー導電部材４Ｂの銀接点４１Ｂが該第２導電部材３Ｂを離脱して電力切断状態が形成され、これにより過熱保護作用が達成される。
【実施例３】
【００４０】
本発明の実施例３を図７に示す。本実施例は熱破壊式電力切断スイッチであり、かつ本実施例においてはロッカースイッチであり、図７に該ロッカースイッチがオフの状態を示す。該ロッカースイッチは、座体１Ｃと、第１導電部材２Ｃ及び第２導電部材３Ｃと、可動導電部材と、過熱破壊部材５Ｃを含む。
【００４１】
該座体１Ｃは収納空間１１Ｃを備えている。該第１導電部材２Ｃ及び第２導電部材３Ｃはいずれも該座体１Ｃに穿置される。該可動導電部材は該収納空間１１Ｃ内に設置され、該可動導電部材がロッキング導電部材４Ｃであり、該ロッキング導電部材４Ｃが該第１導電部材２Ｃに跨設され、該第１導電部材２Ｃに電気的に接続される。該過熱破壊部材５Ｃは、破壊温度下で破壊され、該破壊温度が１００℃〜２５０℃であり、該過熱破壊部材５Ｃは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、そのうち錫ビスマス合金の融点は約１３８℃である。
【００４２】
動作温度が異常に上昇した場合、活線回路を切断することが最善であるため、該第１導電部材２Ｃが使用上活線第１端、該第２導電部材３Ｃが使用上活線第２端となっており、該ロッキング導電部材４Ｃにより該第１導電部材２Ｃと第２導電部材３Ｃを導通させて、活線回路を形成する。
【００４３】
本実施例の該ロッカースイッチはさらに、操作ユニット６Ｃを備え、該ロッキング導電部材４Ｃを操作して該第１導電部材２Ｃと該第２導電部材３Ｃを連通させ、活線回路を形成するか、或いは該第１導電部材２Ｃと該第２導電部材３Ｃの回路を切断し、活線に切断を形成する。該操作ユニット６Ｃは該座体１Ｃ上に組み込まれ、操作部材６１Ｃと第１弾性部材６２Ｃを含み、該操作部材６１Ｃの押圧に供する表面が絶縁体であり、該操作部材６１Ｃに枢着点６１１Ｃが設けられ、該枢着点６１１Ｃが該座体１Ｃに枢着され、該枢着点６１１Ｃを軸心として該操作部材６１Ｃに一定限度内で往復枢動させることができる。該操作部材６１Ｃはさらに、接触部材と、中心筒６１０Ｃと、内筒６１４Ｃと、規制部材６１２Ｃを含み、該接触部材が空心状を呈する熱伝導ハウジング６１３Ｃであり、該熱伝導ハウジング６１３Ｃが開口端６１３１Ｃと弧形の接触端６１３２Ｃを含み、該熱伝導ハウジング６１３Ｃの該接触端６１３２Ｃが該ロッキング導電部材４Ｃに接触し、該中心筒６１０Ｃの該ロッキング導電部材４Ｃから遠い一端に該規制部材６１２Ｃと貫通孔６１５Ｃが設けられる。該中心筒６１０Ｃが該内筒６１４Ｃに緊密に被着され、該内筒６１４Ｃが貫通状の収容空間６１４１Ｃを備え、該第１弾性部材６２Ｃが該収容空間６１４１Ｃ内に設置され、該収容空間６１４１Ｃの二端にそれぞれ第１開口６１４２Ｃと第２開口６１４３Ｃが設けられ、該熱伝導ハウジング６１３Ｃの一部が該収容空間６１４１Ｃに挿入され、また該熱伝導ハウジング６１３Ｃの一部が該第１開口６１４２Ｃから突出される。該過熱破壊部材５Ｃは該規制部材６１２Ｃに一体成型され、かつ該貫通孔６１５Ｃの周縁に配置される。該貫通孔６１５Ｃの径幅は該第１弾性部材６２Ｃの径幅より大きい。該第１弾性部材６２Ｃの一端が該熱伝導ハウジング６１３Ｃの該開口端６１３１Ｃ内に挿入され、該過熱破壊部材５Ｃの規制により、該過熱破壊部材５Ｃが破壊されていないとき、該第１弾性部材６２Ｃが該熱伝導ハウジング６１３Ｃと該過熱破壊部材５Ｃの間で圧縮されて規制され、第１弾性力を具備する。
【００４４】
本実施例のロッカースイッチはさらに第２弾性部材７Ｃを備え、該第２弾性部材７Ｃは本実施例においてばねであり、該第２弾性部材７Ｃは第２弾性力を備え、該第２弾性力が該操作部材６１Ｃに作用する。
【００４５】
図８に示すように、使用者が該操作部材６１Ｃを操作して該枢着点６１１Ｃの周りを枢動させ、該熱伝導ハウジング６１３Ｃを該ロッキング導電部材４Ｃ上で摺動させると、該ロッキング導電部材４Ｃにシーソーのような運動形態で該第２導電部材３Ｃと選択的に接触または分離させることができる。該熱伝導ハウジング６１３Ｃが該ロッキング導電部材４Ｃ上で該ロッキング導電部材４Ｃ上の銀接点４１Ｃの方向に摺動すると、該第１弾性力が該銀接点４１Ｃを該第２導電部材３Ｃに接触させて、通電状態を形成する。
【００４６】
図９に示すように、第１導電部材２Ｃまたは第２導電部材３Ｃに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等の現象があると、コンセントの導電部位に比較的大きな熱エネルギーが発生し、該熱エネルギーが第１導電部材２Ｃまたは第２導電部材３Ｃを介してロッキング導電部材４Ｃに伝達され、さらに該熱伝導ハウジング６１３Ｃ、該第１弾性部材６２Ｃを介して該過熱破壊部材５Ｃに伝達され、該過熱破壊部材５Ｃが該熱エネルギーを吸収して徐々にその材料の融点に達し、このとき該過熱破壊部材５Ｃが徐々に剛性を失い始める。例えば該過熱破壊部材５Ｃの材質が錫ビスマス合金である場合、その融点は１３８℃であるが、融点に近づくときに剛性が失われ始め、同時に該第１弾性力の作用下で、該過熱破壊部材５Ｃが該第１弾性部材６２Ｃの圧迫を受けて変形し、さらには破壊され、該第１弾性部材６２Ｃが該過熱破壊部材５Ｃを破壊して該貫通孔６１５Ｃから突出され、それにより該第１弾性力が小さくなるか失われて、このとき該第２弾性力が該第１弾性力より大きくなる。本実施例において、前記第１導電部材２Ｃと該第２導電部材３Ｃの排列方向を縦方向と定義し、該操作部材６１Ｃが該縦方向上に一定長さを備え、該第１弾性部材６２Ｃが該長さの中央位置に設置され、該第２弾性部材７Ｃの該長さにおける設置位置と、該中央位置の間には一定の距離がある。このため、該第２弾性力が該第１弾性力より大きくなると、該操作部材６１Ｃがトルクの作用で、該枢着点６１１Ｃを軸心として枢動され、該熱伝導ハウジング６１３Ｃを動かして該ロッキング導電部材４Ｃ上で摺動させ、該操作部材６１Ｃがオフの位置に移動されるため、該ロッキング導電部材４Ｃの銀接点４１Ｃが該第２導電部材３Ｃを離脱し、電力の切断状態が形成され、これにより過熱保護作用が達成される。
【実施例４】
【００４７】
本発明の実施例４を図１０に示す。本実施例は熱破壊式電力切断スイッチであり、かつ本実施例においては押しボタンスイッチであり、図１０に該押しボタンスイッチがオフの状態を示す。該押しボタンスイッチは、座体１Ｄと、第１導電部材２Ｄ及び第２導電部材３Ｄと、可動導電部材と、過熱破壊部材５Ｄを含む。
【００４８】
該座体１Ｄは収納空間１１Ｄと、突出部１２Ｄを備えている。該第１導電部材２Ｄ及び第２導電部材３Ｄがいずれも該座体１Ｄに穿置される。該可動導電部材は該収納空間１１Ｄ内に設置され、該可動導電部材がカンチレバー導電部材４Ｄである。該過熱破壊部材５Ｄは、破壊温度下で破壊され、該破壊温度が１００℃〜２５０℃であり、該過熱破壊部材５Ｄは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、例えば錫ビスマス合金の融点は約１３８℃である。
【００４９】
動作温度が異常に上昇した場合、活線回路を切断することが最善であるため、該第１導電部材２Ｄが使用上活線第１端、該第２導電部材３Ｄが使用上活線第２端となっており、該カンチレバー導電部材４Ｄにより該第１導電部材２Ｄと第２導電部材３Ｄを導通させて、活線回路を形成する。
【００５０】
本実施例の該押しボタンスイッチはさらに操作ユニット６Ｄを備え、該カンチレバー導電部材４Ｄを操作して、該第１導電部材２Ｄと該第２導電部材３Ｄを連通させ、活線回路を形成するか、或いは該第１導電部材２Ｄと該第２導電部材３Ｄの導通を切断し、活線に切断を形成する。該操作ユニット６Ｄは該座体１Ｄに組み込まれ、操作部材６１Ｄと、第１弾性部材６２Ｄを含み、該操作部材６１Ｄが該突出部１２Ｄに被せて設置され、該操作部材６１Ｄは該突出部１２Ｄ上で一定限度内の往復移動をすることができる。操作ユニット６Ｄ全体の往復移動と位置決め構造は従来の自動ボールペンの押しボタン構造または先行技術で述べた中国特許第ＣＮ１０３４４１０１９号の「ボタンスイッチ」の構造と同じであるため、本実施例の図面では従来の位置決め構造を一部省略し、表示していない。該操作部材６１Ｄはさらに接触部材と、中心筒６１０Ｄと、内筒６１４Ｄと、規制部材６１２Ｄを含む。該中心筒６１０Ｄの該カンチレバー導電部材４Ｄから遠い一端に規制部材６１２Ｄと貫通孔６１５Ｄが設けられ、該中心筒６１０Ｄが該内筒６１４Ｄに緊密に被着され、該内筒６１４Ｄが貫通状の収容空間６１４１Ｄを備え、該第１弾性部材６２Ｄが該収容空間内６１４１Ｄに設置され、該収容空間６１４１Ｄの二端にそれぞれ第１開口６１４２Ｄと第２開口６１４３Ｄが設けられる。該接触部材は支持熱伝導部材６１３Ｄであり、該支持熱伝導部材６１３Ｄは該第１開口６１４２Ｄに設置され、該過熱破壊部材５Ｄは該規制部材６１２Ｄに一体成型され、かつ該貫通孔６１５Ｄの周縁に配置される。該貫通孔６１５Ｄの径幅は該第１弾性部材６２Ｄの径幅より大きい。該支持熱伝導部材６１３Ｄは位置規制柱６１３１Ｄと、支持座部６１３２Ｄを備え、該位置規制柱６１３１Ｄが該第１弾性部材６２Ｄの一端に挿入され、該第１弾性部材６２Ｄを該支持座部６１３２Ｄ上に当接させ、該支持座部６１３２Ｄが該カンチレバー導電部材４Ｄに接触する。また、該過熱破壊部材５Ｄの規制により、該過熱破壊部材５Ｄが破壊されていないとき、該第１弾性部材６２Ｄが該支持熱伝導部材６１３Ｄと該過熱破壊部材５Ｄの間で圧縮されて規制され、第１弾性力を具備する。本実施例の押しボタンスイッチはさらに第２弾性部材を備え、該第２弾性部材はばね片７Ｄであり、かつ該第１導電部材２Ｄ、該ばね片７Ｄ、該カンチレバー導電部材４Ｄの三者が一体成形されており、該ばね片７Ｄが第２弾性力を有し、該第２弾性力は該操作部材６１Ｄに作用する。
【００５１】
図１１に示すように、使用者は自動ボールペンのボタンのように、該操作部材６１Ｄを操作して該突出部１２Ｄに相対して移動させることで、該カンチレバー導電部材４Ｄと該第２導電部材３Ｄを選択的に接触または分離させる。該操作部材６１Ｄがカンチレバー導電部材４Ｄに向かって移動され、位置決めされると、該支持熱伝導部材６１３Ｄの支持座部６１３１Ｄによって該カンチレバー導電部材４Ｄが押圧されて銀接点４１Ｄの位置が近づき、該カンチレバー導電部材４Ｄが該第２導電部材３Ｄに接触して通電状態が形成される。同時に、該第１弾性部材６２Ｄがさらに圧縮され、該第１弾性力が大きくなり、このとき該第１弾性力が該第２弾性力より大きくなる。
【００５２】
図１２に示すように、第１導電部材２Ｄまたは第２導電部材３Ｄに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等があると、コンセントの導電部位に比較的大きな熱エネルギーが発生し、該熱エネルギーが第１導電部材２Ｄまたは第２導電部材３Ｄを介してカンチレバー導電部材４Ｄに伝達され、さらに該支持熱伝導部材６１３Ｄの支持座部６１３２Ｄ、位置規制柱６１３１Ｄと該第１弾性部材６２Ｄを介して該過熱破壊部材５Ｄに伝達され、該過熱破壊部材５Ｄが該熱エネルギーを吸収して徐々にその材料の融点に達し、このとき該過熱破壊部材５Ｄが徐々に剛性を失い始める。例えば該過熱破壊部材５Ｄの材質が錫ビスマス合金である場合、その融点は１３８℃であるが、融点に近づくときに即剛性が失われ始め、同時に該第１弾性力の作用下で、該過熱破壊部材５Ｄが該第１弾性部材６２Ｄの圧迫を受けて変形し、さらには破壊されて、該第１弾性部材６２Ｄを規制できなくなり、該第１弾性部材６２Ｄが該過熱破壊部材５Ｄを破壊して該貫通孔６１５Ｄから突出され、それにより該第１弾性力が小さくなるか失われて、このとき該第２弾性力が該第１弾性力より大きくなるため、該カンチレバー導電部材４Ｄが元の位置を回復し、該カンチレバー導電部材４Ｄの銀接点４１Ｄが該第２導電部材３Ｄを離脱して電力切断状態が形成され、これにより過熱保護作用が達成される。
【実施例５】
【００５３】
本発明の実施例５を図１３に示す。本実施例は熱破壊式電力切断スイッチであり、かつ本実施例においてはロッカースイッチであり、図１３に該ロッカースイッチがオフの状態を示す。該ロッカースイッチは、座体１Ｅと、第１導電部材２Ｅ及び第２導電部材３Ｅと、可動導電部材と、過熱破壊部材５Ｅを含む。
【００５４】
該座体１Ｅは収納空間１１Ｅを備えている。該第１導電部材２Ｅ及び第２導電部材３Ｅはいずれも該座体１Ｅに穿置される。該可動導電部材は該収納空間１１Ｅ内に設置され、該可動導電部材がロッキング導電部材４Ｅであり、該ロッキング導電部材４Ｅが該第１導電部材２Ｅに跨設され、該第１導電部材２Ｅに電気的に接続される。該過熱破壊部材５Ｅは、破壊温度下で破壊され、該破壊温度が１００℃〜２５０℃であり、該過熱破壊部材５Ｅは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、例えば錫ビスマス合金の融点は約１３８℃である。本実施例において、該過熱破壊部材５Ｅは、２つの破壊片５１Ｅと、該２つの破壊片５１Ｅの間に連接された１つの柱部５２Ｅを含むが、該過熱破壊部材５Ｅは、円形片体、柱体、帽子状体、ブロック体、球体、不規則体または放射状片体とすることもできる。
【００５５】
動作温度が異常に上昇した場合、活線回路を切断することが最善であるため、該第１導電部材２Ｅが使用上活線第１端、該第２導電部材３Ｅが使用上活線第２端となっており、該ロッキング導電部材４Ｅにより該第１導電部材２Ｅと第２導電部材３Ｅを導通させて、活線回路を形成する。
【００５６】
本実施例の該ロッカースイッチはさらに、操作ユニット６Ｅを備え、該ロッキング導電部材４Ｅを操作して該第１導電部材２Ｅと該第２導電部材３Ｅを連通させ、活線回路を形成するか、或いは該第１導電部材２Ｅと該第２導電部材３Ｅの回路を切断し、活線に切断を形成する。該操作ユニット６Ｅは該座体１Ｅ上に組み込まれ、操作部材６１Ｅと第１弾性部材６２Ｅを含み、該操作部材６１Ｅに枢着点６１１Ｅが設けられ、該枢着点６１１Ｅが該座体１Ｅに枢着され、該枢着点６１１Ｅを軸心として該操作部材６１Ｅに一定限度内で往復枢動させることができる。該操作部材６１Ｅはさらに接触部材と規制部材６１２Ｅを含み、該接触部材が空心状を呈する熱伝導ハウジング６１３Ｅであり、該熱伝導ハウジング６１３Ｅが開口端６１３１Ｅと、弧形の接触端６１３２Ｅを含み、該熱伝導ハウジング６１３Ｅの該接触端６１３２Ｅが該ロッキング導電部材４Ｅに接触し、該規制部材６１２Ｅが内側に凹陥した収容空間６１２１Ｅを備え、該収容空間６１２１Ｅが開口６１２２Ｅを有する。該第１弾性部材６２Ｅが第１ばね６２１Ｅと第２ばね６２２Ｅを含み、該第１ばね６２１Ｅ、該第２ばね６２２Ｅ及び該過熱破壊部材５Ｅが該収容空間６１２１Ｅ内に設置され、さらに該熱伝導ハウジング６１３Ｅにより該規制部材６１２Ｅに連接され、該開口６１２２Ｅが封鎖される。そのうち、該第１ばね６２１Ｅが該規制部材６１２Ｅの内面に当接され、該第２ばね６２２Ｅが該開口端６１３１Ｅから該熱伝導ハウジング６１３Ｅ内に挿入され、かつ該熱伝導ハウジング６１３Ｅに当接される。該過熱破壊部材５Ｅが該第１ばね６２１Ｅと該第２ばね６２２Ｅの間に設置され、該２つの破壊片５１Ｅがそれぞれ該第１ばね６２１Ｅと該第２ばね６２２Ｅに当接され、該第１ばね６２１Ｅと該第２ばね６２２Ｅが圧縮されてそれぞれ弾性力を具備し、該第１ばね６２１Ｅと該第２ばね６２２Ｅの弾性力の総和が第１弾性力である。
【００５７】
本実施例のロッカースイッチはさらに第２弾性部材７Ｅを備え、該第２弾性部材７Ｅは本実施例においてばねであり、該第２弾性部材７Ｅは第２弾性力を備え、該第２弾性力が該操作部材６１Ｅに作用する。
【００５８】
図１４に示すように、使用者が該操作部材６１Ｅを操作して該枢着点６１１Ｅの周りを枢動させ、該熱伝導ハウジング６１３Ｅを該ロッキング導電部材４Ｅ上で摺動させると、該ロッキング導電部材４Ｅにシーソーのような運動形態で該第２導電部材３Ｅと選択的に接触または分離させることができる。該熱伝導ハウジング６１３Ｅが該ロッキング導電部材４Ｅ上で該ロッキング導電部材４Ｅ上の銀接点４１Ｅの方向に摺動すると、該第１弾性力が該銀接点４１Ｅを該第２導電部材３Ｅに接触させて、通電状態を形成する。
【００５９】
図１５に示すように、第１導電部材２Ｅまたは第２導電部材３Ｅに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等の現象があると、コンセントの導電部位に比較的大きな熱エネルギーが発生し、該熱エネルギーが第１導電部材２Ｅまたは第２導電部材３Ｅを介してロッキング導電部材４Ｅに伝達され、さらに該熱伝導ハウジング６１３Ｅ、該第２ばね６２２Ｅを介して該過熱破壊部材５Ｅに伝達され、該過熱破壊部材５Ｅが該熱エネルギーを吸収して徐々にその材料の融点に達し、このとき該過熱破壊部材５Ｅが徐々に剛性を失い始める。例えば該過熱破壊部材５Ｅの材質が錫ビスマス合金である場合、その融点は１３８℃であるが、融点に近づくときに剛性が失われ始め、同時に該第１弾性力の作用下で、該過熱破壊部材５Ｅが該第１ばね６２１Ｅと該第２ばね６２２Ｅの圧迫を受けて変形し、さらには破壊される。本実施例において、図１３に示した元々の過熱破壊部材５Ｅが破壊されると、図１５に示す状態となり、該第１ばね６２１Ｅと該第２ばね６２２Ｅが長く伸びて、それにより該第１弾性力が小さくなるか失われ、このとき該第２弾性力が該第１弾性力より大きくなる。本実施例において、該第１導電部材２Ｅと該第２導電部材３Ｅの排列方向を縦方向と定義し、該操作部材６１Ｅが該縦方向上に一定長さを備え、該第１弾性部材６２Ｅが該長さの中央位置に設置され、該第２弾性部材７Ｅの設置位置は該中央位置から一定の距離があるため、該第２弾性力が該第１弾性力より大きくなると、該操作部材６１Ｅがトルクの作用で、該枢着点６１１Ｅを軸心として枢動され、該熱伝導ハウジング６１３Ｅを動かして該ロッキング導電部材４Ｅ上で摺動させ、該操作部材６１Ｅがオフの位置に移動されるため、該ロッキング導電部材４Ｅの銀接点４１Ｅが該第２導電部材３Ｅを離脱し、電力の切断状態が形成され、これにより過熱保護作用が達成される。
【実施例６】
【００６０】
本発明の実施例６を図１６に示す。本実施例は熱破壊式電力切断スイッチであり、かつ本実施例においてはロッカースイッチであり、図１６に該ロッカースイッチがオフの状態を示す。本実施例は実施例５とほぼ同じであり、異なる点は次のとおりである。
【００６１】
本実施例は過熱破壊部材５Ｆと第１弾性部材６２Ｆを備え、該過熱破壊部材が破壊片５１Ｆと凸部５２Ｆを含み、該第１弾性部材６２Ｆが第１ばね６２１Ｆと第２ばね６２２Ｆを含み、該第１ばね６２１Ｆの幅が該第２ばね６２２Ｆより大きく、該過熱破壊部材５Ｆが該第１ばね６２１Ｆと該第２ばね６２２Ｆの間に設置され、該破壊片５１Ｆの相対する両側が該第１ばね６２１Ｆと該第２ばね６２２Ｆに当接され、該凸部５２Ｆが該第２ばね６２２Ｆに挿入され、該第２ばね６２２Ｆの位置を規制する。
【００６２】
図１７に示すように、本実施例の活線導通形態は実施例５と同じであるため、ここでは説明を省略する。
【００６３】
図１８に示すように、本実施例の過熱破壊部材５Ｆは活線の過熱により破壊される。本実施例において、図１６に示した元々の過熱破壊部材５Ｆが破壊されると、図１８に示す状態となり、該第１ばね６２１Ｆと該第２ばね６２２Ｆが長く伸びて、該第１ばね６２１Ｆと該第２ばね６２２Ｆが相対する方向に弾性力を解放し、該第２ばね６２２Ｆが該第１ばね６２１Ｆ内に進入し、電力切断状態が形成される。
【実施例７】
【００６４】
本発明の実施例７を図１９に示す。本実施例は熱破壊式電力切断スイッチであり、かつ本実施例においては押しボタンスイッチであり、図１９に該押しボタンスイッチがオフの状態を示す。該押しボタンスイッチは、座体１Ｇと、第１導電部材２Ｇ及び第２導電部材３Ｇと、可動導電部材と、過熱破壊部材５Ｇを含む。
【００６５】
該座体１Ｇは収納空間１１Ｇと、突出部１２Ｇを備えている。該第１導電部材２Ｇ及び第２導電部材３Ｇはいずれも該座体１Ｇに穿置される。該可動導電部材は該収納空間１１Ｇ内に設置され、該可動導電部材がカンチレバー導電部材４Ｇである。該過熱破壊部材５Ｇは、破壊温度下で破壊され、該破壊温度が１００℃〜２５０℃であり、該過熱破壊部材５Ｇは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、例えば錫ビスマス合金の融点は約１３８℃である。本実施例において、該過熱破壊部材５Ｇは、２つの破壊片５１Ｇと、該２つの破壊片５１Ｇの間に連接された１つの柱部５２Ｇを含むが、該過熱破壊部材５Ｇは、円形片体、柱体、帽子状体、ブロック体、球体、不規則体または放射状片体とすることもできる。
【００６６】
動作温度が異常に上昇した場合、活線回路を切断することが最善であるため、該第１導電部材２Ｇが使用上活線第１端、該第２導電部材３Ｇが使用上活線第２端となっており、該カンチレバー導電部材４Ｇにより該第１導電部材２Ｇと第２導電部材３Ｇを導通させて、活線回路を形成する。
【００６７】
本実施例の該押しボタンスイッチはさらに操作ユニット６Ｇを備え、該カンチレバー導電部材４Ｇを操作して、該第１導電部材２Ｇと該第２導電部材３Ｇを連通させ、活線回路を形成するか、或いは該第１導電部材２Ｇと該第２導電部材３Ｇの導通を切断し、活線に切断を形成する。該操作ユニット６Ｇは該座体１Ｇに組み込まれ、操作部材６１Ｇと、第１弾性部材６２Ｇを含み、該操作部材６１Ｇが該突出部１２Ｇに被せて設置され、該操作部材６１Ｇは該突出部１２Ｇ上で一定限度内の往復移動をすることができる。操作ユニット６Ｇ全体の往復移動と位置決め構造は従来の自動ボールペンの押しボタン構造または先行技術で述べた中国特許第CN１０３４４１０１９号の「ボタンスイッチ」の構造と同じであるため、本実施例の図面では従来の位置決め構造を一部省略し、表示していない。該操作部材６１Ｇはさらに接触部材と、規制部材６１２Ｇを含み、該規制部材６１２Ｇに内側に凹陥した収容空間６１２１Ｇが設けられ、該第１弾性部材６２Ｇが第１ばね６２１Ｇと、第２ばね６２２Ｇを含み、該第１ばね６２１Ｇ、該第２ばね６２２Ｇ及び該過熱破壊部材５Ｇが該収容空間６１２１Ｇ内に設置される。そのうち、該第１ばね６２１Ｇが該規制部材６１２Ｇの内面に当接され、該接触部材が支持熱伝導部材６１３Ｇであり、該支持熱伝導部材６１３Ｇが位置規制柱６１３１Ｇと、支持座部６１３２Ｇを備え、該位置規制柱６１３１Ｇが該第２ばね６２２Ｇに挿入され、該第２ばね６２２Ｇを該支持座部６１３２Ｇ上に当接させ、該支持座部６１３２Ｇが該カンチレバー導電部材４Ｇに接触する。該過熱破壊部材５Ｇが該第１ばね６２１Ｇと該第２ばね６２２Ｇの間に設置され、該２つの破壊片５１Ｇがそれぞれ該第１ばね６２１Ｇと該第２ばね６２２Ｇに当接され、該第１ばね６２１Ｇと該第２ばね６２２Ｇが圧縮されてそれぞれ弾性力を具備し、該第１ばね６２１Ｇと該第２ばね６２２Ｇの弾性力の総和が第１弾性力である。
【００６８】
本実施例の該押しボタンスイッチはさらに第２弾性部材を備え、該第２弾性部材はばね片７Ｇであり、かつ該第１導電部材２Ｇ、該ばね片７Ｇ、該カンチレバー導電部材４Ｇの三者が一体成形されており、該ばね片７Ｇが第２弾性力を有し、該第２弾性力は該操作部材６１Ｇに間接的に作用する。
【００６９】
図２０に示すように、使用者は自動ボールペンのボタンのように、該操作部材６１Ｇを操作して該突出部１２Ｇに相対して移動させることで、該カンチレバー導電部材４Ｇと該第２導電部材３Ｇを選択的に接触または分離させる。該操作部材６１Ｇがカンチレバー導電部材４Ｇに向かって移動され、位置決めされると、該支持熱伝導部材６１３Ｇの支持座部６１３２Ｇによって該カンチレバー導電部材４Ｇの銀接点４１Ｇが押圧され、該カンチレバー導電部材４Ｇが該第２導電部材３Ｇに接触して通電状態が形成される。同時に、該第１ばね６２１Ｇと該第２ばね６２２Ｇがさらに圧縮され、該第１弾性力が大きくなる。
【００７０】
図２１に示すように、第１導電部材２Ｇまたは第２導電部材３Ｇに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等があると、コンセントの導電部位に比較的大きな熱エネルギーが発生し、該熱エネルギーが該第１導電部材２Ｇまたは第２導電部材３Ｇを介してカンチレバー導電部材４Ｇに伝達され、さらに該支持熱伝導部材６１３Ｇの支持座部６１３２Ｇ、位置規制柱６１３１Ｇ、該第２ばね６２２Ｇを介して該過熱破壊部材５Ｇに伝達され、該過熱破壊部材５Ｇが該熱エネルギーを吸収して徐々にその材料の融点に達し、このとき該過熱破壊部材５Ｇが徐々に剛性を失い始める。例えば該過熱破壊部材５Ｇの材質が錫ビスマス合金である場合、その融点は１３８℃であるが、融点に近づくときに剛性が失われ始め、同時に該第１弾性力の作用下で、該過熱破壊部材５Ｇが該第１ばね６２１Ｇと該第２ばね６２２Ｇの圧迫を受けて変形する。本実施例において、図１９に示す元々の過熱破壊部材５Ｇが破壊されると、図２１に示す状態となり、該第１ばね６２１Ｇと該第２ばね６２２Ｇは長く伸びて、それにより該第１弾性力が小さくなるか失われ、このとき該第２弾性力が該第１弾性力より大きくなるため、該カンチレバー導電部材４Ｇが元の位置を回復し、該カンチレバー導電部材４Ｇの銀接点４１Ｇが該第２導電部材３Ｇを離脱して電力切断状態が形成され、これにより過熱保護作用が達成される。
【実施例８】
【００７１】
本発明の実施例８を図２２に示す。本実施例は熱破壊式電力切断スイッチであり、かつ本実施例においては押しボタンスイッチであり、図２２に該押しボタンスイッチがオフの状態を示す。本実施例は実施例３とほぼ同じであり、異なる点は次のとおりである。
【００７２】
本実施例は過熱破壊部材５Ｈと第１弾性部材６２Ｈを備え、該過熱破壊部材が破壊片５１Ｈと凸部５２Ｈを含み、該第１弾性部材６２Ｈが第１ばね６２１Ｈと第２ばね６２２Ｈを含み、該第１ばね６２１Ｈの幅が該第２ばね６２２Ｈより大きく、該過熱破壊部材５Ｈが該第１ばね６２１Ｈと該第２ばね６２２Ｈの間に設置され、該破壊片５１Ｈの相対する両側が該第１ばね６２１Ｈと該第２ばね６２２Ｈに当接され、該凸部５２Ｈが該第２ばね６２２Ｈに挿入され、該第２ばね６２２Ｈの位置を規制する。
【００７３】
図２３に示すように、本実施例の活線導通形態は実施例７と同じであるため、ここでは説明を省略する。
【００７４】
図２４に示すように、本実施例の過熱破壊部材５Ｈが活線の過熱により破壊されるとき、本実施例において、図２２に示した元々の過熱破壊部材５Ｈが破壊されると、図２４に示す状態となり、該第１ばね６２１Ｈと該第２ばね６２２Ｈが長く伸びて、該第１ばね６２１Ｈと該第２ばね６２２Ｈが相対する方向に弾性力を解放し、該第２ばね６２２Ｈが該第１ばね６２１Ｈ内に進入する。
【実施例９】
【００７５】
本発明の実施例９を図２５に示す。本実施例は熱破壊式電力切断スイッチであり、かつ本実施例においてはロッカースイッチであり、図２５に該ロッカースイッチがオフの状態を示す。該ロッカースイッチは、座体１Ｉと、第１導電部材２Ｉ及び第２導電部材３Ｉと、可動導電部材と、過熱破壊部材５Ｉを含む。
【００７６】
該座体１Ｉは収納空間１１Ｉを備えている。該第１導電部材２Ｉ及び第２導電部材３Ｉはいずれも該座体１Ｉに穿置される。該可動導電部材は該収納空間１１Ｉ内に設置され、該可動導電部材がロッキング導電部材４Ｉであり、該ロッキング導電部材４Ｉが該第１導電部材２Ｉに跨設され、該第１導電部材２Ｉに電気的に接続される。該過熱破壊部材５Ｉは破壊温度下で破壊され、該破壊温度が１００℃〜２５０℃であり、該過熱破壊部材５Ｉは電流の持続的供給を維持するために用いるものではないため、例えばプラスチックなどの絶縁材料を選択して用いることができ、または非絶縁材料の低融点の合金や低融点の金属を選択して用いることもできる。上述の低融点の合金は、例えばビスマスとカドミウム、インジウム、銀、錫、鉛、アンチモン、銅のうちのいずれかまたは複数を組み合わせた合金であり、そのうち錫ビスマス合金の融点は約１３８℃である。本本実施例において、該過熱破壊部材５Ｉは、破壊部５１Ｉと、２つの凸部５２Ｉを含み、該２つの凸部５２Ｉは該破壊部５１Ｉの相対する面に配置されるが、過熱破壊部材５Ｉは円形片体、柱体、帽子状体、ブロック体、球体、不規則体または放射状片体とすることもできる。
【００７７】
動作温度が異常に上昇した場合、活線回路を切断することが最善であるため、該第１導電部材２Ｉが使用上活線第１端、該第２導電部材３Ｉが使用上活線第２端となっており、該ロッキング導電部材４Ｉにより該第１導電部材２Ｉと第２導電部材３Ｉを導通させて、活線回路を形成する。
【００７８】
本実施例の該ロッカースイッチはさらに、操作ユニット６Ｉを備え、該ロッキング導電部材４Ｉを操作して該第１導電部材２Ｉと該第２導電部材３Ｉを連通させ、活線回路を形成するか、或いは該第１導電部材２Ｉと該第２導電部材３Ｉの回路を切断し、活線に切断を形成する。該操作ユニット６Ｉは該座体１Ｉ上に組み込まれ、操作部材６１Ｉと、第１弾性部材６２Ｉを含み、該操作部材６１Ｉの押圧表面は絶縁体であり、該操作部材６１Ｉに枢着点６１１Ｉが設けられ、該枢着点６１１Ｉが該座体１Ｉに枢着され、該枢着点６１１Ｉを軸心として該操作部材６１Ｉに一定限度内で往復枢動させることができる。該操作部材６１Ｉがさらに接触部材と、規制部材６１２Ｉを含み、該接触部材が空心状を呈する熱伝導ハウジング６１３Ｉであり、該熱伝導ハウジング６１３Ｉが開口端６１３１Ｉと弧形の接触端６１３２Ｉを含み、該熱伝導ハウジング６１３Ｉの該接触端６１３２Ｉが該ロッキング導電部材４Ｉに接触し、該規制部材６１２Ｉが内側に凹陥した収容空間６１２１Ｉを備え、該収容空間６１２１Ｉが開口６１２２Ｉを有し、該第１弾性部材６２Ｉが該収容空間６１２１Ｉ内に挿入される。該熱伝導ハウジング６１３Ｉが該開口６１２２Ｉに局部的に挿入され、該過熱破壊部材５Ｉが該開口端６１３１Ｉから該熱伝導ハウジング６１３Ｉ内に設置され、そのうち１つの凸部５２Ｉが該熱伝導ハウジング６１３Ｉに当接され、かつ該破壊部５１Ｉも該熱伝導ハウジング６１３Ｉに接触し、もう１つの凸部５２Ｉが該第１弾性部材６２Ｉ内に挿入され、該第１弾性部材６２Ｉの一端が該規制部材６１２Ｉの内面に当接され、該第１弾性部材６２Ｉの他端が該過熱破壊部材５Ｉの破壊部５１Ｉ上に押止され、該第１弾性部材６２Ｉが圧縮されて第１弾性力を有する。
【００７９】
本実施例のロッカースイッチはさらに第２弾性部材７Ｉを備え、該第２弾性部材７Ｉは本実施例においてばねであり、該第２弾性部材７Ｉは第２弾性力を備え、該第２弾性力が該操作部材６１Ｉに作用する。
【００８０】
図２６に示すように、使用者が該操作部材６１Ｉを操作して該枢着点６１１Ｉの周りを枢動させ、該熱伝導ハウジング６１３Ｉを該ロッキング導電部材４Ｉ上で摺動させると、該ロッキング導電部材４Ｉにシーソーのような運動形態で該第２導電部材３Ｉと選択的に接触または分離させることができる。該熱伝導ハウジング６１３Ｉが該ロッキング導電部材４Ｉ上で該ロッキング導電部材４Ｉ上の銀接点４１Ｉの方向に摺動すると、該第１弾性力が該銀接点４１Ｉを該第２導電部材３Ｉに接触させて、通電状態を形成する。
【００８１】
図２７に示すように、第１導電部材２Ｉまたは第２導電部材３Ｉに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等の現象があると、コンセントの導電部位に比較的大きな熱エネルギーが発生し、該熱エネルギーが第１導電部材２Ｉまたは第２導電部材３Ｉを介してロッキング導電部材４Ｉに伝達され、さらに該熱伝導ハウジング６１３Ｉから該過熱破壊部材５Ｉの破壊部５１Ｉに伝達され、該破壊部５１Ｉは該熱エネルギーを吸収して徐々にその材料の融点に達する前に、徐々に剛性を失い始める。例えば、該過熱破壊部材５Ｉの材質が錫ビスマス合金である場合、その融点は１３８℃であるが、融点に近づくときに剛性が徐々に失われ始めるため、該第１弾性力の作用下で、該過熱破壊部材５Ｉの破壊部５１Ｉが該第１弾性部材６２Ｉの圧迫を受けて変形し、さらには該破壊部５１Ｉが突破される。本実施例において、図２５に示した元々の破壊部５１Ｉが破壊されて２つの部分に分断されると、図２７に示す状態となり、該第１弾性部材６２Ｉが長く伸びて、それにより該第１弾性力が小さくなるか失われ、このとき該第２弾性力が該第１弾性力より大きくなる。本実施例において、該第１導電部材２Ｉと該第２導電部材３Ｉの排列方向を縦方向と定義し、該操作部材６１Ｉが該縦方向上に一定長さを備え、該第１弾性部材６２Ｉが該長さの中央位置に設置され、該第２弾性部材７Ｉの設置位置は該中央位置から一定の距離があるため、該第２弾性力が該第１弾性力より大きくなると、該操作部材６１Ｉがトルクの作用で、該枢着点６１１Ｉを軸心として枢動され、該熱伝導ハウジング６１３Ｉを動かして該ロッキング導電部材４Ｉ上で摺動させ、該操作部材６１Ｉがオフの位置に移動されるため、該ロッキング導電部材４Ｉの銀接点４１Ｉが該第２導電部材３Ｉを離脱し、電力の切断状態が形成され、これにより過熱保護作用が達成される点である。
【実施例１０】
【００８２】
本発明の実施例１０を図２８に示す。本実施例は熱破壊式電力切断スイッチであり、かつ本実施例においてはロッカースイッチであり、図２８に該ロッカースイッチがオフの状態を示す。本実施例は実施例９とほぼ同じであり、異なる点は次のとおりである。
【００８３】
本実施例は過熱破壊部材５Ｊと、第１弾性部材６２Ｊと、接触部材を有する。該接触部材は熱伝導ハウジング６１３Ｊであり、該過熱破壊部材５Ｊは支持部材５１Ｊと、相互に連接されたロッド部５２Ｊ及びヘッド部５３Ｊを含み、該支持部材５１Ｊが該ロッド部５２Ｊ上に設置され、かつ該熱伝導ハウジング６１３Ｊに接触し、該ヘッド部５３Ｊの幅が該ロッド部５２Ｊの幅より大きく、該ロッド部５２Ｊが該支持部材５１Ｊに穿通され、かつ該第１弾性部材６２Ｊ内に挿入されて、該支持部材５１Ｊが該ヘッド部５３Ｊに押止され、該ヘッド部５３Ｊが該熱伝導ハウジング６１３Ｊ上に当接され、該第１弾性部材６２Ｊが該支持部材５１Ｊ上に当接される。
【００８４】
図２９に示すように、本実施例の活線導通形態は実施例９と同じであるため、ここでは説明を省略する。
【００８５】
図３０に示すように、本実施例の過熱破壊部材５Ｊの支持部材５１Ｊが活線の過熱により該第１弾性力の作用下で該第１弾性部材６２Ｊの圧迫を受けて変形し、さらには該支持部材５１Ｊが突破されると、本実施例において、図２８に示した元々の支持部材５１Ｊが破壊されて２つの部分に分断され、図３０に示す状態となり、該第１弾性部材６２Ｊが長く伸びて、それにより該第１弾性力が小さくなるか失われ、このとき該第２弾性力が該第１弾性力より大きくなり、実施例１と同じように電力の切断状態が形成される。
【実施例１１】
【００８６】
本発明の実施例１１を図３１に示す。本実施例は熱破壊式電力切断スイッチであり、かつ本実施例においては押しボタンスイッチであり、図３１に該押しボタンスイッチがオフの状態を示す。該押しボタンスイッチは、座体１Ｋと、第１導電部材２Ｋ及び第２導電部材３Ｋと、可動導電部材と、過熱破壊部材５Ｋを含む。
【００８７】
該座体１Ｋは収納空間１１Ｋと、突出部１２Ｋを備えている。該第１導電部材２Ｋ及び第２導電部材３Ｋはいずれも該座体１Ｋに穿置される。該可動導電部材は該収納空間１１Ｋ内に設置され、該可動導電部材はカンチレバー導電部材４Ｋである。該過熱破壊部材５Ｋは破壊温度下で破壊され、該破壊温度が１００℃〜２５０℃であり、該過熱破壊部材５Ｋは電流の持続的供給を維持するために用いるものではないため、例えばプラスチックなどの絶縁材料を選択して用いることができ、または非絶縁材料の低融点の合金や低融点の金属を選択して用いることもできる。そのうち低融点の合金は、例えばビスマスとカドミウム、インジウム、銀、錫、鉛、アンチモン、銅のうちのいずれかまたは複数を組み合わせた合金であり、例えば錫ビスマス合金の融点は約１３８℃である。本実施例において、該カンチレバー導電部材４Ｋ上には取付孔４１Ｋが設けられ、該過熱破壊部材５Ｋは環状を呈し、通孔５１Ｋを備えており、かつ該過熱破壊部材５Ｋの外周縁を延伸してフランジ５２Ｋが設けられ、該過熱破壊部材５Ｋが該取付孔４１Ｋに設置され、該フランジ５２Ｋが該取付孔４１Ｋの周縁に当接される。
【００８８】
電気回路に過熱状態が発生した場合、活線を切断することが最善であるため、該第１導電部材２Ｋが使用上活線第１端、該第２導電部材３Ｋが使用上活線第２端となっており、カンチレバー導電部材４Ｋにより該第１導電部材２Ｋと導電部材３Ｋを導通させ、活線回路を形成する。
【００８９】
本実施例の該押しボタンスイッチはさらに操作ユニット６Ｋを備え、該カンチレバー導電部材４Ｋを操作して、該第１導電部材２Ｋと該第２導電部材３Ｋを連通させ、活線回路を形成するか、或いは該第１導電部材２Ｋと該第２導電部材３Ｋの導通を切断し、活線に切断を形成する。該操作ユニット６Ｋは該座体該座体１Ｋに組み込まれ、操作部材６１Ｋと、第１弾性部材６２Ｋを含み、該操作部材６１Ｋの押圧表面が絶縁体であり、該操作部材６１Ｋが該突出部１２Ｋに被せて設置され、該操作部材６１Ｋは該突出部１２Ｋで一定限度内の往復移動をすることができる。操作ユニット６Ｋ全体の往復移動と位置決め構造は従来の自動ボールペンの押しボタン構造または先行技術で述べた中国特許第ＣＮ１０３４４１０１９号の「ボタンスイッチ」の構造と同じであるため、本実施例の図面では従来の位置決め構造を一部省略し、表示していない。該操作部材６１Ｋはさらに、規制部材６１２Ｋと、接触部材６１３Ｋを含み、該規制部材６１２Ｋが内側に凹陥した収容空間６１２１Ｋを備え、該接触部材６１３Ｋが支持座部６１３１Ｋと、２つの位置規制柱６１３２Ｋを備えており、該２つの位置規制柱６１３２Ｋが該支持座部６１３１Ｋの相対する面に配置される。そのうち１つの位置規制柱６１３２Ｋが該過熱破壊部材５Ｋの通孔５１Ｋ内に挿入され、該第１弾性部材６２Ｋが該収容空間６１２１Ｋ内に挿入される。そのうち、該接触部材６１３Ｋのもう１つの位置規制柱６１３２Ｋが該第１弾性部材６２Ｋに挿入され、該第１弾性部材６２Ｋが該過熱破壊部材５Ｋと規制部材６１２Ｋの間で圧縮されて規制され、該第１弾性部材６２Ｋに第１弾性力を具備させる。
【００９０】
本実施例の該押しボタンスイッチはさらに第２弾性部材を備え、該第２弾性部材はばね片７Ｋであり、かつ該第１導電部材２Ｋ、該ばね片７Ｋ、該カンチレバー導電部材４Ｋの三者が一体成形されており、該ばね片７Ｋが第２弾性力を有し、該第２弾性力は該操作部材６１Ｋに作用する。
【００９１】
図３２に示すように、使用者は自動ボールペンのボタンのように、該操作部材６１Ｋを操作して該突出部１２Ｋに相対して移動させることで、該カンチレバー導電部材４Ｋと該第２導電部材３Ｋを選択的に接触または分離させる。該操作部材６１Ｋがカンチレバー導電部材４Ｋに向かって移動され、位置決めされると、該接触部材６１３Ｋの支持座部６１３１Ｋによって該カンチレバー導電部材４Ｋの銀接点４２Ｋが押圧され、該カンチレバー導電部材４Ｋが該第２導電部材３Ｋに接触して通電状態が形成される。同時に、該第１弾性部材６２Ｋがさらに圧縮され、該第１弾性力が大きくなり、このとき該第１弾性力が該第２弾性力より大きくなる。
【００９２】
図３３に示すように、第１導電部材２Ｋまたは第２導電部材３Ｋに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等があると、コンセントの導電部位に比較的大きな熱エネルギーが発生し、該熱エネルギーが第１導電部材２Ｋまたは第２導電部材３Ｋを介してカンチレバー導電部材４Ｋに伝達され、さらに該カンチレバー導電部材４Ｋから該過熱破壊部材５Ｋに伝達され、該過熱破壊部材５Ｋは該熱エネルギーを吸収して徐々にその材料の融点に達する前に、徐々に剛性を失い始める。例えば、該過熱破壊部材５Ｋの材質が錫ビスマス合金である場合、その融点は１３８℃であるが、融点近くになると剛性が失われ始め、同時に該第１弾性力の作用下で、該接触件６１３Ｋが該第１弾性部材６２Ｋに押圧され、さらに該接触部材６１３Ｋが該過熱破壊部材５Ｋを押圧し、該過熱破壊部材５Ｋが圧迫を受けて変形し、さらには破壊され、該第１弾性部材６２Ｋを規制することができなくなる。本実施例において、図３１に示す元々の過熱破壊部材５Ｋが破壊されて２つの部分に分断されると、図３３に示す状態となり、該第１弾性部材６２Ｋが長く伸び、それにより該第１弾性力が小さくなるか失われ、このとき該第２弾性力が該第１弾性力より大きくなるため、該カンチレバー導電部材４Ｋが元の位置を回復し、該カンチレバー導電部材４Ｋの銀接点４１Ｋが該第２導電部材３Ｋを離脱して電力切断状態が形成され、これにより過熱保護作用が達成される。
【００９３】
図３４と図３５に本発明のさらに別の実施例を示す。本実施例は電気を使用する設備に前述の実施例の熱破壊式電力切断ロッカースイッチを応用し、該電気を使用する設備の電源オンとオフを制御するために用いる。ここでは該電気を使用する設備として、３組のコンセント差込口８１を含む延長コンセントを例としており、該延長コンセントが、ハウジング８と、活線導電部材９と、中性線導電部材１０と、３つの過熱破壊スイッチ２０を含む。
【００９４】
該ハウジング８が、上ハウジング８Ａと、下ハウジング８Ｂを有し、該上ハウジング８Ａが３組のコンセント差込口８１を含み、各コンセント差込口８１が活線差込口８１１と、中性線差込口８１２を含む。該活線導電部材９は該ハウジング８に設置され、該活線導電部材９に、３つの活線連接端９２、３つの活線差込片９１が間隔をあけて設けられ、各活線差込片９１が活線差込部９１１を含み、かつ該活線差込部９１１が該活線差込口８１１に対応している。該中性線導電部材１０は該ハウジング８に設置され、該中性線導電部材１０に、３つの中性線差込部１０１が間隔をあけて設けられ、かつ各中性線差込部１０１が該中性線差込口８１２に対応している。該３つの熱破壊式電力切断スイッチ２０は、前述の実施例１から実施例４で述べたとおりであり、そのうち、該熱破壊式電力切断スイッチ２０の第１導電部材２０１が該活線導電部材９の活線連接端９２または該活線差込片９１のいずれか１つに連接され、該第２導電部材２０２が別の１つの該活線差込片９１または該活線導電部材９の活線連接端９２に連接される。ここで示すのは該第１導電部材２０１が該活線導電部材９の活線連接端９２に連接され、該第２導電部材２０２が該活線差込片９１に連接された例である（この部分の連接の特徴はすでに前述の実施例で説明済みであるため、ここでは説明を省略する）。これにより、該延長コンセントのいずれかの活線差込片９１の動作温度が異常に高くなったとき、熱エネルギーが第１導電部材２０１または第２導電部材２０２から所属する該熱破壊式電力切断スイッチ２０に伝達され、該熱破壊式電力切断スイッチ２０が過熱によって電気回路を切断し、電源供給が停止され、このとき温度異常が発生した該活線差込片９１はすぐに電源を終止し、動作温度の上昇が継続されず、動作温度を下げることができる。各熱破壊式電力切断スイッチ２０が独立して１組の活線差込口８１１と中性線差込口８１２を制御するため、いずれか１組の熱破壊式電力切断スイッチ２０が過熱で電気回路を切断しても、その他の活線差込口８１１中性線差込口８１２は正常な使用を継続することができる。
【００９５】
上述の実施例の説明を総合すると、本発明の操作、使用及び本発明の効果について充分に理解することができる。以上の実施例は、本発明の最良の実施例に基づくものであり、これらを以って本発明の実施の範囲を限定することはできず、本発明の特許請求の範囲及び明細書の内容に基づいた同等効果の簡単な変化や修飾はすべて本発明の範囲内に含まれる。
【符号の説明】
【００９６】
１Ａ   座体
１１Ａ   収納空間
２Ａ   第１導電部材
３Ａ   第２導電部材
４Ａ   ロッキング導電部材
４１Ａ   銀接点
５Ａ   過熱破壊部材
６Ａ   操作ユニット
６１Ａ   操作部材
６１０Ａ  中心筒
６１１Ａ  枢着点
６１２Ａ  規制部材
６１３Ａ  熱伝導ハウジング
６１３１Ａ  開口端
６１３２Ａ  接触端
６１４Ａ  内筒
６１４１Ａ  収容空間
６１４２Ａ  第１開口
６１４３Ａ  第２開口
６１５Ａ  貫通孔
６２Ａ   第１弾性部材
７Ａ   第２弾性部材
１Ｂ   座体
１１Ｂ   収納空間
１２Ｂ   突出部 
２Ｂ   第１導電部材
３Ｂ   第２導電部材
４Ｂ   カンチレバー導電部材
４１Ｂ   銀接点
５Ｂ   過熱破壊部材
６Ｂ   操作ユニット
６１Ｂ   操作部材
６１０Ｂ  中心筒
６１２Ｂ  規制部材
６１３Ｂ  支持熱伝導部材
６１３１Ｂ  位置規制柱
６１３２Ｂ  支持座部
６１４Ｂ  内筒
６１４１Ｂ  収容空間
６１４２Ｂ  第１開口
６１４３Ｂ  第２開口
６１５Ｂ  貫通孔
６２Ｂ   第１弾性部材
７Ｂ   ばね片
１Ｃ   座体
１１Ｃ   収納空間
２Ｃ   第１導電部材
３Ｃ   第２導電部材
４Ｃ   ロッキング導電部材
４１Ｃ   銀接点
５Ｃ   過熱破壊部材
６Ｃ   操作ユニット
６１Ｃ   操作部材
６１０Ｃ  中心筒
６１１Ｃ  枢着点
６１２Ｃ  規制部材
６１３Ｃ  熱伝導ハウジング
６１３１Ｃ  開口端
６１３２Ｃ  接触端
６１４Ｃ  内筒
６１４１Ｃ  収容空間
６１４２Ｃ  第１開口
６１４３Ｃ  第２開口
６１５Ｃ  貫通孔
６２Ｃ   第１弾性部材
７Ｃ   第２弾性部材
１Ｄ   座体
１１Ｄ   収納空間
１２Ｄ   突出部
２Ｄ   第１導電部材
３Ｄ   第２導電部材
４Ｄ   カンチレバー導電部材
４１Ｄ   銀接点
５Ｄ   過熱破壊部材
６Ｄ   操作ユニット
６１Ｄ   操作部材
６１０Ｄ  中心筒
６１２Ｄ  規制部材
６１３Ｄ  支持熱伝導部材
６１３１Ｄ  位置規制柱
６１３２Ｄ  支持座部
６１４Ｄ  内筒
６１４１Ｄ  収容空間
６１４２Ｄ  第１開口
６１４３Ｄ  第２開口
６１５Ｄ  貫通孔
６２Ｄ   第１弾性部材
７Ｄ   ばね片
１Ｅ   座体
１１Ｅ   収納空間
２Ｅ   第１導電部材
３Ｅ   第２導電部材
４Ｅ   ロッキング導電部材
４１Ｅ   銀接点
５Ｅ   過熱破壊部材
５１Ｅ   破壊片
５２Ｅ   柱部
６Ｅ   操作ユニット
６１Ｅ   操作部材
６１１Ｅ  枢着点
６１２Ｅ  規制部材
６１２１Ｅ  収容空間
６１２２Ｅ  開口
６１３Ｅ  熱伝導ハウジング
６１３１Ｅ  開口端
６１３２Ｅ  接触端
６２Ｅ   第１弾性部材
６２１Ｅ  第１ばね
６２２Ｅ  第２ばね
７Ｅ   第２弾性部材
５Ｆ   過熱破壊部材
５１Ｆ   破壊片
５２Ｆ   凸部
６２Ｆ   第１弾性部材
６２１Ｆ  第１ばね
６２２Ｆ  第２ばね
１Ｇ   座体
１１Ｇ   収納空間
１２Ｇ   突出部
２Ｇ   第１導電部材
３Ｇ   第２導電部材
４Ｇ   カンチレバー導電部材
４１Ｇ   銀接点
５Ｇ   過熱破壊部材 
５１Ｇ   破壊片
５２Ｇ   柱部
６Ｇ   操作ユニット
６１Ｇ   操作部材
６１２Ｇ  規制部材
６１２１Ｇ  収容空間
６１３Ｇ  支持熱伝導部材
６１３１Ｇ  位置規制柱
６１３２Ｇ  支持座部
６２Ｇ   第１弾性部材
６２１Ｇ  第１ばね
６２２Ｇ  第２ばね
７Ｇ   ばね片
５Ｈ   過熱破壊部材
５１Ｈ   破壊片
５２Ｈ   凸部
６２Ｈ   第１弾性部材
６２１Ｈ  第１ばね
６２２Ｈ  第２ばね
１Ｉ   座体
１１Ｉ   収納空間
２Ｉ   第１導電部材
３Ｉ   第２導電部材
４Ｉ   ロッキング導電部材
４１Ｉ   銀接点
５Ｉ   過熱破壊部材
５１Ｉ   破壊部
５２Ｉ   凸部
６Ｉ   操作ユニット
６１Ｉ   操作部材
６１１Ｉ  枢着点
６１２Ｉ  規制部材
６１２１Ｉ  収容空間
６１２２Ｉ  開口
６１３Ｉ  熱伝導ハウジング
６１３１Ｉ  開口端
６１３２Ｉ  接触端
６２Ｉ   第１弾性部材
７Ｉ   第２弾性部材
５Ｊ   過熱破壊部材
５１Ｊ   支持部材
５２Ｊ   ロッド部
５３Ｊ   ヘッド部
６１３Ｊ  熱伝導ハウジング
６２Ｊ   第１弾性部材
１Ｋ   座体
１１Ｋ   収納空間
１２Ｋ   突出部
２Ｋ   第１導電部材
３Ｋ   第２導電部材
４Ｋ   カンチレバー導電部材
４１Ｋ   取付孔
４２Ｋ   銀接点
５Ｋ   過熱破壊部材
５１Ｋ   通孔
５２Ｋ   フランジ
６Ｋ   操作ユニット
６１Ｋ   操作部材
６１２Ｋ  規制部材
６１２１Ｋ  収容空間
６１３Ｋ  接触部材
６１３１Ｋ  支持座部
６１３２Ｋ  位置規制柱
６２Ｋ   第１弾性部材
７Ｋ   ばね片
８    ハウジング
８Ａ   上ハウジング
８Ｂ   下ハウジング
８１   コンセント差込口
８１１   活線差込口
８１２   中性線差込口
９    活線導電部材
９１   活線差込片
９１１   活線差込部
９２   活線連接端
１０   中性線導電部材
１０１   中性線差込口
２０   熱破壊式電力切断スイッチ
２０１   第１導電部材
２０２   第２導電部材
【図１】
2020009739.tif 000003
【図２】
2020009739.tif 000004
【図３】
2020009739.tif 000005
【図４】
2020009739.tif 000006
【図５】
2020009739.tif 000007
【図６】
2020009739.tif 000008
【図７】
2020009739.tif 000009
【図８】
2020009739.tif 000010
【図９】
2020009739.tif 000011
【図１０】
2020009739.tif 000012
【図１１】
2020009739.tif 000013
【図１２】
2020009739.tif 000014
【図１３】
2020009739.tif 000015
【図１４】
2020009739.tif 000016
【図１５】
2020009739.tif 000017
【図１６】
2020009739.tif 000018
【図１７】
2020009739.tif 000019
【図１８】
2020009739.tif 000020
【図１９】
2020009739.tif 000021
【図２０】
2020009739.tif 000022
【図２１】
2020009739.tif 000023
【図２２】
2020009739.tif 000024
【図２３】
2020009739.tif 000025
【図２４】
2020009739.tif 000026
【図２５】
2020009739.tif 000027
【図２６】
2020009739.tif 000028
【図２７】
2020009739.tif 000029
【図２８】
2020009739.tif 000030
【図２９】
2020009739.tif 000031
【図３０】
2020009739.tif 000032
【図３１】
2020009739.tif 000033
【図３２】
2020009739.tif 000034
【図３３】
2020009739.tif 000035
【図３４】
2020009739.tif 000036
【図３５】
2020009739.tif 000037